(57)【要約】【課題】ボタンスイッチ式の引戸用鎌錠において、構造をシンプルにし、部品点数を少なくして低コスト化を実現し、他方で、耐久性を上げると共に引戸の開閉操作性を良好にする。【解決手段】クランクアーム３０は、鎌２０が施錠姿勢となる第１位置と解錠姿勢となる第２位置間を揺動するクランク角αが狭小な一定角度で足りるように、支軸５５と偏心穴２５間に掛け渡す架設距離Ｌを長く形成し、錠ケース１０内で横向きに架設する。外部操作手段Ｓは、ボタンスイッチ４５の嵌合突起４７をクランクアームの嵌合穴５０に嵌合させてクランクアームを直接操作する構造とし、施解錠時は操作板４６の押圧板部の一側を押し、ボタンスイッチを錠ケースの奥行方向前後に揺動させると、嵌合穴に嵌合した操作板の嵌合突起にクランクアームが押されて狭小なクランク角の範囲で上下に揺動し、その揺動方向に応じ、鎌を押し回して施錠姿勢と解錠姿勢とに回動変位させる。【選択図】          図１
2010229718.tif 000002
【特許請求の範囲】
【請求項１】
引戸の戸先側の木口から鎌出入口を外部に向け臨ませて引戸に内設する錠ケースと、
前記鎌出入口から先端鎌部が突出する施錠姿勢と前記錠ケース内に引っ込む解錠姿勢とに回動変位可能に、該錠ケース内に横架した鎌軸で吊持し、該鎌軸より前記鎌出入口とは反対側に片寄った位置で頭部に偏心穴を設けた鎌と、
先端部に連結突起を設け、基端部に支軸が貫挿する軸穴を設けると共に、該軸穴と前記連結突起との間に嵌合穴を設け、前記連結突起を前記偏心穴に係合して前記鎌に連結する一方、前記支軸で該鎌が施錠姿勢となる第１位置と解錠姿勢となる第２位置との間を揺動可能に前記錠ケース内に枢支し、前記鎌の偏心穴と前記支軸間に縦向きの前記鎌出入口に対して横向きに架設するクランクアームと、
該クランクアームを揺動操作する外部操作手段とを備え、
前記クランクアームは、
前記鎌が施錠姿勢となる第１位置と解錠姿勢となる第２位置間を揺動するクランク角が狭小な一定角度になるように、前記支軸と前記偏心穴間に掛け渡す架設距離を横に長く設定し、
前記外部操作手段は、
操作板および該操作板の中央を横断する枢軸部に凸設した嵌合突起からなるボタンスイッチと、前記操作板の両端の押圧板部が前記枢軸部を支点として交互に上下するように前記ボタンスイッチを揺動可能に支持する支持部材とを備え、前記ボタンスイッチの枢軸部を前記クランクアームの架設方向に合わせて前記嵌合突起を前記クランクアームの嵌合穴に嵌合させて前記錠ケースに装着してなる、引戸用鎌錠。
【請求項２】
前記錠ケースを挟んで前記外部操作手段と反対側から、非常解錠操作するロックオープナーを備え、該ロックオープナーは、非常解錠用のキー溝が刻設された円板部に回転伝達可能な軸形状をなす前記支軸を突設し、該支軸の先端を前記軸穴に嵌合させて前記クランクアームと一体回動可能に連結してなる、請求項１に記載の引戸用鎌錠。
【発明の詳細な説明】
【技術分野】
【０００１】
本発明は、外部操作でボタンスイッチを押して鎌を回動し、その先端鎌部を引戸の木口と対向する戸枠側の鎌掛け穴に対し係脱させて引戸を施解錠する、引戸用鎌錠に関する。
【背景技術】
【０００２】
従来、引戸用鎌錠の中には、鎌を回動させる外部操作手段がサムターンで、そのサムターンのツマミを回して鎌を回動することにより施解錠するサムターン式のものがある。しかし、サムターン式鎌錠は、身障者や高齢者にとって、サムターンのツマミを指先で摘んで回動操作することが難しく、使い勝手が悪いことから、最近は、外部操作手段がシーソー構造のボタンスイッチで、このボタンスイッチを押して鎌を回動することにより施解錠するボタンスイッチ式鎌錠と云われるものがある（特許文献１参照）。
【０００３】
従来のボタンスイッチ式鎌錠は、例えば図１３に示すように、引戸ａの戸先側に錠ケース１を内設し、この錠ケース１内の下部に、図中左右の横方向へ移動可能で、引戸ａの閉時に戸枠に当たると後退するトリガ２を設ける一方、上部寄りに、鎌出入口１ａから先端鎌部３ａが突出して戸枠側の鎌掛け穴に掛止する施錠位置と錠ケース１内に引っ込む解錠位置との間を回動する鎌３を支軸３ｂで軸支し、これらトリガ２と鎌３との間において、下端の二股状部４ａをトリガ２の係止ピン２ａに係止し、上端の係合軸４ｂを鎌３の長穴３ｃに係合させて鎌３をトリガ２に連結し、トリガ２が後退すると鎌３を施錠位置へ回動させる作動部材４を支持軸４ｃで回動可能に軸支し、引戸ａが開いた状態では、ねじりばね５で鎌３を解錠位置に付勢する一方、引戸ａを閉じたときに、戸枠に先端部２ｂが当ってトリガ２が後退すると、それに従い作動部材４で鎌３を押し回し、ねじりばね５の一端Ｑの位置が基準線ｄより鎌出入口１ａ側の前方へ出ると、ねじりばね５の付勢力が鎌３を施錠位置へ回動する向きへ働いて、鎌３をさらに回動して先端鎌部３ａを鎌掛け穴に自動的に掛け止める。これにより、引戸ａを開けない限り鎌掛け穴に対する掛け止めが外れない、仮施錠状態にする。しかし、従来のボタンスイッチ式鎌錠では、閉時に、引戸ａが戸枠に強く衝突したりすると、弾みで鎌３が鎌掛け穴から外れて引戸ａが開いてしまうことがある。そこで、鎌３が鎌掛け穴から外れるのを確実に防止するため、仮施錠状態の鎌錠を、更に本施錠状態にすることができる構造になっている。即ち、図１３（Ａ）に示すように、錠ケース１の片側に装着したシーソー構造のボタンスイッチ６を外部操作してトリガ２の移動を規制し、それに基づいて鎌３の回動をロックするようにしている。
【０００４】
そのため、ボタンスイッチ６は、く字状に屈曲した操作板６ａが中央の枢軸６ｂを支点として揺動するように引手凹部６ｃ内に軸支している。操作板６ａは、その内側板面において、施錠時に押す片側の折曲板部（図中上側）６ｄに、先端が四角い角軸のロック部材７を突設している。一方、トリガ２には、基端側上面にロック用係止凹部２ｃが設けられている。そこで、図示鎌錠を本施錠状態にするとき、ボタンスイッチ６を外部操作し、操作板６ａの折曲板部６ｄを押してシーソーのように傾けると、ロック部材７が錠ケース１の奥行前後方向後方へ突出し、いま後退位置に移動しているトリガ２のロック用係止凹部２ｃに差し込まれ、このトリガ２に連結した作動部材４を介して鎌３の回動がロックされる構造になっている。
【先行技術文献】
【特許文献】
【０００５】
【特許文献１】特開平１０−２９２６９３号公報
【特許文献２】特開平１０−２８０７６９号公報
【発明の概要】
【発明が解決しようとする課題】
【０００６】
ところが、従来のボタンスイッチ式鎌錠では、トリガ２の進退移動を利用して鎌３を施解錠位置に回動させる構造であるので、本施錠時は、そのトリガ２の進退移動を規制して鎌３の回動をロックするために、トリガ２側にロック用係止凹部２ｃを精密加工により凹設し、他方、ボタンスイッチ６側にはロック部材７が部品として別途に必要となり、それだけ構造が複雑になって部品点数が増加し、コストが高くなるという問題がある。
【０００７】
一方で、この従来のボタンスイッチ式鎌錠では、鎌３の下方に揺動手段８を備え、引戸ａを閉めたときに、ボタンスイッチ６の手動操作でトリガ２の進退をロックする本施錠状態にしないで、仮施錠状態のままでも、鎌３が鎌掛け穴から外れるのを防止できるように先端鎌部３ａが鎌掛け穴に掛止して施錠姿勢にある鎌３を揺動手段８で支承する構造になっている。しかし、これでは、そのように重りやバネや軸受け等で構成される揺動手段８が別途に必要となることから、それだけ構造が複雑で部品点数が増加し、コストが更に高くなるという問題がある。
【０００８】
また、従来のボタンスイッチ式鎌錠においても、それが施錠状態にあるときに、異常事態が発生すると、外側から解錠して引戸を開けることができるように、錠ケース１には、通常、ボタンスイッチ６と反対の外側に非常解錠用のロックオープナーを回動可能に組み付けている。その場合、ロックオープナーは、ボタンスイッチ６のロック部材７と同軸に連結すると共に、外側でコイン等を用いて回動されると、その回転運動を、錠ケース１の奥行前後方向の直線運動に変換してロック部材７に伝達する必要がある。従って、従来のボタンスイッチ式鎌錠では、このようにロックオープナー側の回転運動と、ボタンスイッチ６側のロック部材７の直線前後運動との間に運動変換機構が必要となるので、それだけ更に構造が複雑になって部品点数が増加し、その結果、コストが更に一層高くなるという問題がある。
【０００９】
更に、従来のボタンスイッチ式鎌錠では、トリガ２の進退移動を利用して鎌３を施解錠位置に回動させる構造であるので、閉時は、引戸ａにかかる摩擦抵抗に加え、トリガ２を後退させて鎌３を突出させるねじりばね５のばね力が抵抗となり、開時には、鎌３を解錠位置へ引っ込めるねじりばね５のばね力が抵抗になり、その結果、引戸ａを引いてスライドさせる操作が重くて引戸の開閉操作性が悪いという問題がある。加えて、従来のボタンスイッチ式鎌錠では、本施錠状態にしないで、仮施錠状態のまま、ただ引戸ａの開閉操作を繰り返すときでも、その都度、錠ケース１内では、トリガ２のほか、鎌３、作動部材４、ねじりばね５、揺動手段８など、内部の鎌錠部品が無駄に作動するため、それら鎌錠部品の摩耗が早くて耐久性に乏しいという問題があった。
【００１０】
そこで、本発明が解決しようとする課題は、ボタンスイッチ式の引戸用鎌錠において、構造をシンプルにし、部品点数を少なくして低コスト化を実現し、他方で、耐久性を上げると共に引戸の開閉操作性を良好にすることにある。
【００１１】
この課題を解決すべく、請求項１に記載の発明は、たとえば以下に示す図示実施の形態のとおり、引戸Ａの戸先側の木口７５から鎌出入口１４を外部に向け臨ませて引戸Ａに内設する錠ケース１０と、前記鎌出入口１４から先端鎌部２０ｂが突出する施錠姿勢と前記錠ケース１０内に引っ込む解錠姿勢とに回動変位可能に、該錠ケース１０内に横架した鎌軸１５で吊持し、該鎌軸１５より前記鎌出入口１４とは反対側に片寄った位置で頭部２０ａに偏心穴２５を設けた鎌２０と、先端部に連結突起２９を設け、基端部に支軸５５が貫挿する軸穴３３を設けると共に、該軸穴３３と前記連結突起２９との間に嵌合穴５０を設け、前記連結突起２９を前記偏心穴２５に係合して前記鎌２０に連結する一方、前記支軸５５で該鎌２０が施錠姿勢となる第１位置と解錠姿勢となる第２位置との間を揺動可能に前記錠ケース１０内に枢支し、前記鎌２０の偏心穴２５と前記支軸５５間に縦向きの前記鎌出入口１４に対して横向きに架設するクランクアーム３０と、該クランクアーム３０を揺動操作する外部操作手段Ｓとを備え、前記クランクアーム３０は、前記鎌２０が施錠姿勢となる第１位置と解錠姿勢となる第２位置間を揺動するクランク角αが狭小な一定角度になるように、前記支軸５５と前記偏心穴２５間に掛け渡す架設距離Ｌを横に長く設定し、前記外部操作手段Ｓは、操作板４６および該操作板４６の中央を横断する枢軸部４６ａに凸設した嵌合突起４７からなるボタンスイッチ４５と、前記操作板４６の両端の押圧板部４６ｂ・４６ｃが前記枢軸部４６ａを支点に交互に上下するようにボタンスイッチ４５を揺動可能に支持するスイッチケース７０のような支持部材とを備え、前記ボタンスイッチ４５の枢軸部４６ａを前記クランクアーム３０の架設方向に合わせて前記嵌合突起４７を前記クランクアーム３０の嵌合穴５０に嵌合させて前記錠ケース１０に装着してなることを特徴とする。
【００１２】
請求項２に記載の発明は、請求項１に記載の引戸用鎌錠において、たとえば以下に示す図示実施の形態のとおり、前記錠ケース１０を挟んで前記外部操作手段Ｓと反対側から、非常解錠操作するロックオープナー６５を備え、該ロックオープナー６５は、非常解錠用のキー溝６５ｂが刻設された円板部６５ａに回転伝達可能な軸形状をなす前記支軸５５を突設し、該支軸５５の先端を前記軸穴３３に嵌合させて前記クランクアーム３０と一体回動可能に連結してなることを特徴とする。
【発明の効果】
【００１３】
請求項１に記載の引戸用鎌錠では、鎌が施錠姿勢となる第１位置と解錠姿勢となる第２位置間を揺動するクランク角が狭小な一定角度で足りるように、支軸と偏心穴間に掛け渡す架設距離を長く形成してクランクアームを錠ケース内で横向きに架設し、このクランクアームの嵌合穴にボタンスイッチの嵌合突起を嵌合させて、外部操作手段でクランクアームを直接操作する構造となし、施解錠時は、その時に応じて、操作板の押圧板部の一側を押し、ボタンスイッチを錠ケースの前後方向に揺動させると、嵌合穴に嵌合した操作板の嵌合突起にクランクアームが押されて狭小なクランク角の範囲で上下に揺動し、すると、その揺動方向に応じ、鎌を押し回して施錠姿勢と解錠姿勢とに回動変位させることができる。従って、本発明によれば、こうして外部操作手段とクランクアーム間に何ら運動変換機構を介さず、ボタンスイッチを前後に傾動操作して直接クランクアームを揺動し、これにより、鎌を施錠姿勢となる位置と解錠姿勢となる位置とに回動して施解錠することができ、その結果、ボタンスイッチ式の引戸用鎌錠にあって、その構造をシンプルにし、部品点数を少なくして低コスト化を実現させることができる。
【００１４】
加えて、請求項１に記載の引戸用鎌錠では、従来のようにトリガの進退移動を利用して鎌を施解錠位置に回動させるのではなく、外部操作手段でクランクアームを直接操作して鎌を施解錠位置に回動させる構造であるので、開閉時、引戸には、その摩擦抵抗以外にスライド操作の抵抗となる外力が加わる余地がなく、それだけ引戸の開閉操作性を軽快で且つ良好なものにすることができ、しかも、引戸を施錠しないで、ただ開閉操作を繰り返すときは、トリガ以外の鎌錠部品は作動しないため、それら鎌錠部品の摩耗も遅くて耐久性に富むという効果を奏することができる。
【００１５】
請求項２に記載の発明によれば、引戸の外側から非常解錠して引戸を開けるときでも、ロックオープナーの回動角度がクランクアームの狭小な揺動角度に対応して短くなり、従って、ロックオープナーの操作に必要な回動ストロークが短くて済む分だけ操作性を良好にすることができる。加えて、請求項２に記載の発明によれば、ロックオープナーは、回転伝達可能な軸形状をなす支軸の先端を軸穴に嵌合し、間に何ら運動変換機構を介さずに直接クランクアームと一体回動可能に連結するため、運動変換のために複雑な機構部品が不要となり、それだけ更に構造がシンプルになって部品点数が削減され、その結果、コストを更に低減することができる。
【図面の簡単な説明】
【００１６】
【図１】（Ａ）引戸用鎌錠を施錠状態で示す正面図、（Ｂ）線Ａ−Ａ断面図、（Ｃ）線Ｂ−Ｂ断面図である。
【図２】（Ａ）引戸用鎌錠を解錠状態で示す正面図、（Ｂ）線Ｃ−Ｃ断面図、（Ｃ）線Ｄ−Ｄ断面図である。
【図３】（Ａ）・（Ｂ）にそれぞれ向きを違えて示す鎌錠本体の組立斜視図である
【図４】（Ａ）鎌錠本体を解錠状態で示す正面図、（Ｂ）鎌錠本体を施錠状態で示す正面図である。
【図５】錠本体の分解斜視図である。
【図６】外部操作手段と表示器の分解斜視図である。
【図７】外部操作手段の分解斜視図である。
【図８】（Ａ）外部操作手段の側面図、（Ｂ）外部操作手段の正面図である。
【図９】鎌錠本体の表示器側の分解斜視図である。
【図１０】表示器の分解斜視図である。
【図１１】引戸に組み込み状態の鎌錠本体を、向きを違えて示す斜視図である。
【図１２】引戸に組み込み状態の引手一体型鎌錠本体を、向きを違えて示す斜視図である。
【図１３】（Ａ）従来の引戸用鎌錠を施錠状態で示す切欠き側面図、（Ｂ）その引戸用鎌錠を解錠状態で示す縦断面図である。
【発明を実施するための形態】
【００１７】
以下、図面を参照しつつ、本発明の実施形態について説明する。
【００１８】
図１は、本発明の一例である引戸用鎌錠を引戸に組み込んで施錠状態で示し、図２は、その引戸用鎌錠を解錠状態で示し、図３は、鎌錠本体の組立斜視図である。図示例の引戸用鎌錠は、例えば木製のトイレ用扉の引戸Ａに組み込む鎌錠本体Ｒと、戸枠Ｆの縦枠材８５に取り付ける鎌受けＴとからなる。鎌錠本体Ｒは、その錠本体Ｋと、錠本体Ｋを挟んで片側に組み付ける外部操作手段Ｓと、他側に組み付ける表示器Ｄとで構成する。
【００１９】
錠本体Ｋは、図４および図５に示すように、錠ケース１０と、錠ケース１０内に組み込んで支持する鎌２０、クランクアーム３０、付勢ばね３５、トリガ４０を備えた構成になっている。
【００２０】
錠ケース１０は、片側を開放した浅底なケース本体１１に蓋板１２を被せて薄箱状に組み立てる。ケース本体１１は、図中左右の横方向一側に長手の取付板１３を接着し、取付板１３の図中上下の縦方向中間に細長い鎌出入口１４を設け、鎌出入口１４の図中下側にトリガ穴１８を設けてなる。底板部１１ａには、横方向一側の図中上方に鎌軸１５を、下方にトリガ軸１６を突設し、横方向他側の上方にばね掛け軸１７を突設する一方、コーナー板部１１ｃの近くに異形な貫通穴１９と、縦長な逃げ穴４９を横に並べて穿設し、貫通穴１９と縦に並べて２つの丸穴の位置決め穴２１と呼込み軸穴２２を穿設している。貫通穴１９は、丸穴部１９ａの周縁を一部扇形に切り欠いて規制穴部１９ｂを設け、全体に鍵穴状に穿設してなる。更に、コーナー板部１１ｃには、切欠き凹部２６・２７を凹設している。こうした形状のケース本体１１には、鎌軸１５近傍のコーナーにクッションゴム３１を固着している。他方、蓋板１２には、ケース本体１１側の鎌軸１５、トリガ軸１６、ばね掛け軸１７がそれぞれ嵌着する軸穴２３を設けるほか、ケース本体１１側と同じ貫通穴１９、逃げ穴４９、２つの丸い位置決め穴２１と呼込み軸穴２２が設けられ、また、切欠き凹部２６・２７に対応するＵ形の切欠き２６ａ・２７ａが設けられている。
【００２１】
鎌２０は、回転中心穴２４を有する板状の頭部２０ａと、頭部２０ａからＬ状に延びる先端鎌部２０ｂとからなる。頭部２０ａには、回転中心穴２４より先端鎌部２０ｂとは反対側へ片寄った偏心位置に、径方向に長い偏心穴２５を穿設し、周縁を一部切り欠いて一対の当接凹部２０ｃ・２０ｄを設けてなる。
【００２２】
クランクアーム３０は、羽子板状のアーム本体３０ａの先端に、連結突起２９を板厚方向片側に向け突設する一方、基端に、円筒突部３２を板厚方向両側に突設している。円筒突部３２は、貫通穴１９の穴形状に合わせ、丸穴部１９ａに嵌合可能な短筒部３２ａと、短筒部３２ａの周縁から径方向外向きに突出して規制穴部１９ｂに係入可能な係入凸部３２ｂとからなる。短筒部３２ａには、ロックオープナー６５の支軸５５に合わせて、回転伝達が可能な断面四角形の軸穴３３を穿設している。特に、アーム本体３０ａには、軸穴３３と連結突起２９間に嵌合穴５０が設けられている。嵌合穴５０は、アーム本体３０ａの長さ方向に沿って横に長い楕円穴で、穴縁に沿って板厚方向両側に隆起したリブ５０ａが凸設されている。
【００２３】
トリガ４０は、Ｌ形のトリガ本体４１と、圧縮コイルばねのトリガスプリング４２を備える。トリガ本体４１は、一端側の突端にストッパ部４１ａを形成する一方、他端側には、一端側と直交する長手方向に沿ってばね溝４３を形成すると共に、突端に突当軸４１ｂを突設してなる。
【００２４】
そこで、錠本体Ｋは、鎌２０、クランクアーム３０、付勢ばね３５、トリガ４０をケース本体１１に組み付け、そのケース本体１１に蓋板１２を被せて鎌軸１５と、トリガ軸１６と、ばね掛け軸１７を軸穴２３に嵌着して薄箱な錠ケース１０を組み立て、以下のように、鎌軸１５で鎌２０を、支軸５５でクランクアーム３０を、トリガ軸１６でトリガ４０をそれぞれ枢支し、付勢ばね３５は、ばね掛け軸１７に装着する。
【００２５】
即ち、鎌２０は、回転中心穴２４に鎌軸１５を通して枢着し、鎌出入口１４から先端鎌部２０ｂが突出する施錠姿勢と錠ケース１０内に引っ込む解錠姿勢とに、略９０度回動変位可能に鎌軸１５で吊持する。
【００２６】
クランクアーム３０は、連結突起２９を偏心穴２５に係合して鎌２０に連結する一方、円筒突部３２の短筒部３２ａを貫通穴１９の丸穴部１９ａに嵌合し、係入凸部３２ｂを規制穴部１９ｂに係入し、軸穴３３に貫挿する支軸５５を支点として、所定のクランク角αだけ揺動するように鎌２０の頭部２０ａと支軸５５間に横向きに掛け渡す。即ち、クランクアーム３０は、支軸５５を支点にクランク角αの範囲で揺動すると、その揺動方向に応じて、先端の連結突起２９で鎌２０を押し回し、図４に示すように、鎌２０が施錠姿勢となる第１位置と解錠姿勢となる第２位置との間を回動するようになっている。そこで、クランクアーム３０は、鎌２０が施錠姿勢となる施錠位置と解錠姿勢となる解錠位置間の略９０度回動するのに必要なクランク角αを、狭小な、例えば略２０度に設定し、即ち、貫通穴１９の丸穴部１９ａの中心点Ｐを支点としたクランクアーム３０が揺動するストロークの角度αが狭小な略２０度で足りるように錠ケース１０内に架設する。
【００２７】
そのため、錠本体Ｋでは、クランク角αが狭小な略２０度になるように、クランクアーム３０において、支軸５５が貫挿する軸穴３３を、先端の連結突起２９から長さ方向に離隔した位置に穿設すると共に、ケース本体１１において、円筒突起１９が嵌合する貫通穴１９を鎌軸１５から横方向に離隔した位置に穿設し、これにより、軸穴３３に貫挿する支軸５５と、連結突起２０が係合する鎌２０の偏心穴２５間に掛け渡すクランクアーム３０の架設距離Ｌを横に長く形成する。一方、貫通穴１９は、クランクアーム３０の係入凸部３２ｂが係入する規制穴部１９ａを、クランク角αが狭小な略２０度の角度範囲に常に規制されるように、それに対応する開き角度の扇形に穿設する。
【００２８】
付勢ばね３５は、ねじりコイルばねで、コイル部をばね掛け軸１７に係着して一端のばね部を後側壁１１ｂに掛け止め、他端のばね部をクランクアーム３０に掛け止めて、クランクアーム３０を、常時、図４（Ａ）に示すように、鎌２０が解錠姿勢をなる第２位置に回動付勢している。
【００２９】
トリガ４０は、トリガ本体４１を、突当軸４１ｂをトリガ穴１８に向けてケース本体１１の下側壁１１ｄ上にスライド自在に載置し、トリガ軸１６を、ばね溝４３内に係入したトリガスプリング４２の一端フック４２ａに係合して錠ケース１０内に組み込み、常時はトリガスプリング４２のばね付勢力で突当軸４１ｂをトリガ穴１８から突出させる一方、ストッパ部４１ａを先端鎌部２０ｂに掛け止めて鎌２０の回動を規制し、先端鎌部２０ｂが錠ケース１０内に引っ込んだ解錠姿勢を保持し、鍵出入口１４から突出するのを防止する。そのとき、鎌２０には、当接凹部２０ｃにクッションゴム３１が当っている。従って、引戸Ａの閉時に、トリガ４０の突当軸４１ｂが戸枠Ｆの戸先側縦枠材８５に突き当り、トリガスプリング４２に抗して規制解除位置にスライド移動すると、ストッパ部４１ａの先端鎌部２０ｂに対する掛け止めが外れて鎌２０の回動規制が解除されるようになっている。
【００３０】
外部操作手段Ｓは、図６および図７に示すように、ボタンスイッチ４５と、ボタンスイッチ４５を組み付けて支持するスイッチケース（支持部材）７０とを備える。ボタンスイッチ４５は、操作板４６に一対の嵌合突起４７を凸設してなる。操作板４６は、く字状に屈曲させて中央を横断する枢軸部４６ａの両端に、対称な押圧板部４６ｂ・４６ｃを形成してなる。枢軸部４６ａには、軸線方向に軸挿通穴４８が穿設されている。嵌合突起４７は、押圧板部４６ｂ・４６ｃが互いに曲げ起きる内側板面側において、枢軸部４６ａ上の両端から、先細ピン状に凸設してなる。スイッチケース７０は、縦長矩形の本体板部７０ａに、ボタンスイッチ４５の外形に合わせて矩形箱状で片側開放の浅底な支持凹部５９を設け、支持凹部５９の底壁部５９ａの幅方向両側に、ボタンスイッチ４５の嵌合突起４７と対応させて、左右に一対の縦長なガイド穴５６が設けられている。尚、本体板部５０ａの上下両端には、呼込みスタッド５４・５４を立設している。底壁部５９ａには、中心丸穴６０の図中上下に一対の位置決めピン６１・６２が突設されている。
【００３１】
斯かる外部操作手段Ｓにおいて、ボタンスイッチ４５は、それぞれ細軸端部５２ａを軸押え５１に嵌着した一対の軸芯５２を、軸スプリング５３を間に挟んで枢軸部４６ａの軸挿通穴４８に同軸的に挿設して組み立てる。それから、ボタンスイッチ４５は、嵌合突起４７の先端をガイド穴５６に嵌合してスイッチケース７０の支持凹部５９内に嵌入し、支持凹部５９の両側壁５９ｂに有する細軸穴２８に、軸押え５１の細管部５１ａを係合してスイッチケース７０の支持凹部５９に組み込み、図８に示すごとく、操作板４６の押圧板部４６ｂ・４６ｃが枢軸部４６ａを支点として支持凹部５９内で深さ方向に交互に上下するようにスイッチケース７０で揺動可能に支持し、以って、外部操作手段Ｓを組み立ててなる。そこで、外部操作手段Ｓは、ボタンスイッチ４５が揺動する角度が、鎌２０が施錠姿勢をとる第１位置と解錠姿勢をとる第２位置間を揺動するクランクアーム３０の狭小なクランク角α（略２０度）に対応する角度になるように、嵌合突起４７が嵌合するガイド穴５６を一定の穴長さに規定している。
【００３２】
表示器Ｄは、図９および図１０に示すように、表示器本体６３と、表示板６４と、ロックオープナー６５と、表示カバー６６を備える。表示器本体６３は、図中上下に縦長な矩形板で、中央に軸貫通穴６７を設けると共に、軸貫通穴６７の周りに浅い嵌付凹部６３ａを形成してなる。嵌付凹部６３ａは、中心に軸貫通穴６７が貫通する円形部位と、扇形の回動規制部位６８とで全体を瓢箪形状に似た形に凹設されてなる。回動規制部位６８は、錠ケース１０に有する貫通穴１９の規制穴部１９ａと同様に、クランクアーム３０のクランク角αと対応する開き角度の扇形に凹設してなる。表示板６４は、Ｕ字型の挟持部６４ａと、先端に向け次第に幅広となる表示部６４ｂとで、全体を略Ｙ形に形成してなる。表示部６４ｂの表面には、例えば使用中（施錠中）を示す、例えば赤色の着色が施されている。ロックオープナー６５は、円板部６５ａと、円板部６５ａから突出する前記支軸５５とからなる。円板部６５ａには、非常解錠用のキー溝６５ｂが刻設されている。支軸５５は、基部５５ａの先端に、一段細い角軸部５５ｂを突設してなる。支軸５５の基部５５ａは、外周に平面のカット面５５ｃを形成し、角軸部５５ｂは、クランクアーム３０の軸穴３３の穴形状に合わせて回転伝達可能な四角形の角軸からなる。表示カバー６６は、表示板６４の表示部６４ｂの形状に合わせた穴形状に開けた表示窓７１と、ロックオープナー６５の円板部６５ａに合わせて丸穴状の操作用窓７２を設けてなる。
【００３３】
そこで、表示器Ｄは、基部５５ａのカット面５５ｃを挟持部６４ａで挟んで表示板６４をロックオープナー６５に装着してから、ロックオープナー６５の支軸５５を表示器本体６３の軸貫通穴に貫挿し、表示板６４を、嵌付凹部６３ａに嵌め付けてロックオープナー６５と一体に回動可能に表示器本体６３に組み付け、表示器本体６３に表示カバー６６を被せて組み立てる。表示カバー６６は、錠本体Ｋに表示器本体６３を組み付けた後、表示器本体６３に被せる。
【００３４】
これら表示器Ｄと外部操作手段Ｓを、図３に示すように錠本体Ｋに組み付けてから、以下のように引戸Ａ内に組み込むと、鎌錠本体Ｒが組み立てられる。なお、図１および図２に示すように鎌錠本体Ｒを組み込む引戸Ａは、予め、錠本体Ｋの外形状に合わせて、戸先側の木口７５から戸尻側に向けて縦穴７６が穿設され、一方、縦穴７６に連通するように図中手前の内側板面７７に外部操作手段Ｓの外形状に合わせて取付穴が穿設され、外側板面には、表示器Ｄの外形状に合わせて嵌め込み穴が穿設されている。そこで、錠本体Ｋは、縦穴７６に差し込んで引戸Ａ内に組み込み、鎌出入口１４を外部に臨ませて取付板１３を木口７５にねじ止めする。
【００３５】
一方、外部操作手段Ｓは、ボタンスイッチ４５の枢軸部４６ａを横向きのクランクアーム３０の架設方向に合わせてから、引戸Ａの内側板面７７の取付穴にスイッチケース７０を嵌め込み、位置決めピン６１を切欠き凹部２６に係止すると共に位置決めピン６２を位置決め穴２１に係合させて、取付位置を位置決める一方、一側の嵌合突起４７の先端を切欠き凹部２７に係止し、他方の嵌合突起４７の先端を、クランクアーム３０の嵌合穴５０に嵌合して錠ケース１０の肩部に装着する。
【００３６】
他方、表示器Ｄは、引戸Ａの外側板面の嵌め込み穴に表示器本体６３を嵌め込み、錠ケース１０内でロックオープナー６５の支軸５５を、錠ケース１０内でクランクアーム３０の軸穴３３に貫挿し、併せて、外側板面から、呼込みネジ７９を表示器本体６３のねじ挿通穴に通して呼込みスタッド５４にねじ込み、表示器本体６３とスイッチケース７０を引戸Ａの両板面に固定し、これにより、表示器Ｄ側の表示板６４を挟持したロックオープナー６５と、錠ケース１０内のクランクアーム３０とを、一体回動可能に連結して外部操作手段Ｓと表示器Ｄとを錠本体Ｋに組み付け、これにより、鎌錠本体Ｒとして組み立てて、図１１に示すように引戸Ａに組み込んでなる。
【００３７】
さて、図示鎌錠では、閉時、図２に示すように、開いた引戸Ａを引いて閉方向へ横にスライド移動し、図１に示すように、戸枠Ｆの縦枠材８５に戸先側の木口７５が当って閉止すると、錠本体Ｋでは、トリガ４０の突当軸４１ｂが戸枠Ｆの戸先側縦枠材８５に突き当り、トリガスプリング４２に抗して規制解除位置にスライド移動すると、ストッパ部４１ａの先端鎌部２０ｂに対する掛け止めが外れて、鎌２０の回動規制が解除される。そこで、この閉時、内側から引戸Ａを施錠するときは、図１に示すように、操作板４６の押圧板部４６ｂ側を押し、ボタンスイッチ４５を、嵌合突起４７の先端が図中下向きの施錠方向に傾動し、嵌合突起４７を介してクランクアーム３０を支軸５５を中心に第１位置から第２位置へクランク角αだけ付勢ばね３５に抗して揺動し、偏心穴２５に係合した連結突起２９で鎌２０を押し回して施錠姿勢とし、鎌出入口１４から先端鎌部２０ｂを突出させて鎌受けＴの鎌掛け穴８１に掛け止め、こうして引戸Ａを施錠する。そのとき、鎌２０には、クッションゴム３１が当接凹部２０ｄに当ってクッションになっている。
【００３８】
反対に、図示鎌錠で施錠した引戸Ａを開ける場合は、図２に示すように、操作板４６の押圧板部４６ｃ側を押し、ボタンスイッチ４５を、嵌合突起４７の先端が図中上向きの解錠方向に揺動させる。すると、クランクアーム３０が、付勢ばね３５の付勢力と相俟って、支軸５５を中心に第２位置から第１位置へクランク角α揺動し、偏心穴２５に係合した連結突起２９で鎌２０を押し回して解錠姿勢とし、先端鎌部２０ｂと鎌受けＴの鎌掛け穴８１との掛け止めを外して錠ケース１０内に引っ込め、こうして引戸Ａを解錠する。そのとき、鎌２０には、クッションゴム３１が当接凹部２０ｃに当ってクッションになっている。しかる後、引戸Ａを引いて開方向へスライド移動させて開ける。
【００３９】
図示鎌錠では、上述のように鎌２０が施錠姿勢となる第１位置と解錠姿勢となる第２位置間を揺動するクランク角αが狭小な略２０度で足りるように、支軸５５と偏心穴２５間に掛け渡す架設距離Ｌを長く形成してクランクアーム３０を錠ケース１０内で横向きに架設し、このクランクアーム３０の嵌合穴５０にボタンスイッチ４５の嵌合突起４７を嵌合させて、外部操作手段Ｓでクランクアーム３０を直接操作する構造となし、施解錠時は、その時に応じて、操作板４６の押圧板部４６ｂ・４６ｃの一側を押し、ボタンスイッチ４５を錠ケース１０の前後方向に揺動させると、嵌合穴５０に嵌合した操作板４６の嵌合突起４７にクランクアーム３０が押されて狭小なクランク角αの範囲で上下に揺動し、すると、その揺動方向に応じて、鎌２０を押し回して施錠姿勢と解錠姿勢とに回動変位させることができる。従って、図示鎌錠では、こうして外部操作手段Ｓとクランクアーム３０間に何らの運動変換機構を介さず、ボタンスイッチ４５を前後に傾動操作して直接クランクアーム３０を揺動し、これにより、鎌２０を施錠姿勢となる位置と解錠姿勢となる位置とに回動して施解錠することができる。
【００４０】
また、図示鎌錠では、引戸Ａの開閉時、ボタンスイッチ４５を押して引戸Ａを施解錠するとき、同時に、クランクアーム３０に連結したロックオープナー６５の支軸５５と一体に表示板６４が正逆方向に回動する。すると、表示板６４の正逆回動方向に応じて、表示窓７１から表示板６４の表示部６４ｂが切り替え表示され、これにより、引戸Ａの施解錠状態を外部に表示する。一方、例えば異常事態を発生したため、外側から解錠して引戸Ａを開けたいときは、コイン等を用い、これを非常解錠操作用のキー溝６５ｂに係止してロックオープナー６５を回動する。すると、支軸５５と一体にクランクアーム３０が第２位置から第１位置へクランク角α揺動し、鎌２０を解錠姿勢となる位置へ回動する。すると、先端鎌部２０ｂが鎌受けＴの鎌掛け穴８１から外れ、こうして引戸Ａの外側から非常解錠される。そこで、図示鎌錠では、外側から非常解錠して引戸Ａを開けるとき、ロックオープナー６５の回動角度がクランクアーム３０の狭小な揺動角度αに対応して短くなり、従って、ロックオープナー６５の操作に必要な回動ストロークが短くて済み、それだけ操作性を良好にすることができる。
【００４１】
加えて、図示鎌錠では、ロックオープナー６５は、回転伝達可能な角軸状をなす支軸５５の先端を軸穴３３に嵌合し、間に運動変換機構を介さずに、直接クランクアーム３０と一体回動可能に連結するため、運動変換のために複雑な機構部品が不要となり、それだけ更に構造がシンプルになって部品点数が削減され、以って、コストを更に低減させることができる。
【００４２】
ところで、本発明の引戸用鎌錠では、例えば図１２に示すように、外部操作手段Ｓのスイッチケース７０と表示器Ｄの表示器本体６３に、それぞれ引手部７６を一体に備える構成にすることもできる。
【符号の説明】
【００４３】
Ａ                引戸
Ｄ                表示器
Ｆ                戸枠
Ｌ                架設距離
Ｒ                鎌錠本体
Ｓ                外部操作手段
Ｔ                鎌受け
α                クランク角
１０              錠ケース
１４              鎌出入口
１５              鎌軸
２０              鎌
２０ｂ            先端鎌部
２５              偏心穴
３０              クランクアーム
３３              軸穴
３５              付勢ばね
４０              トリガ
４５              ボタンスイッチ
４６              操作板
４６ａ            枢軸部
４７              嵌合突起
５０              嵌合穴
５５              支軸
６５              ロックオープナー
６５ｂ            キー溝
７０              スイッチケース（支持部材）
【図１】
2010229718.tif 000003
【図２】
2010229718.tif 000004
【図３】
2010229718.tif 000005
【図４】
2010229718.tif 000006
【図５】
2010229718.tif 000007
【図６】
2010229718.tif 000008
【図７】
2010229718.tif 000009
【図８】
2010229718.tif 000010
【図９】
2010229718.tif 000011
【図１０】
2010229718.tif 000012
【図１１】
2010229718.tif 000013
【図１２】
2010229718.tif 000014
【図１３】
2010229718.tif 000015
【手続補正書】
【提出日】平成22年3月19日(2010.3.19)
【手続補正１】
【補正対象書類名】特許請求の範囲
【補正対象項目名】請求項１
【補正方法】変更
【補正の内容】
【請求項１】
引戸の戸先側の木口から鎌出入口とトリガ穴を外部に向け臨ませて引戸に内設する錠ケースと、
前記鎌出入口から先端鎌部が突出する施錠姿勢と前記錠ケース内に引っ込む解錠姿勢とに回動変位可能に、該錠ケース内に横架した鎌軸で吊持し、該鎌軸より前記鎌出入口とは反対側に片寄った位置で頭部に偏心穴を設けた鎌と、
先端部に連結突起を設け、基端部に支軸が貫挿する軸穴を設けると共に、該軸穴と前記連結突起との間に嵌合穴を設け、前記連結突起を前記偏心穴に係合して前記鎌に連結する一方、前記支軸で該鎌が施錠姿勢となる第１位置と解錠姿勢となる第２位置との間を揺動可能に前記錠ケース内に枢支し、前記鎌の偏心穴と前記支軸間に縦向きの前記鎌出入口に対して横向きに架設するクランクアームと、
該クランクアームを揺動操作する外部操作手段と、
突端を前記トリガ穴に向けて前記錠ケース内にスライド自在に組み込む一方、常時ばね付勢して突端を前記トリガ穴から突出させると共に、前記鎌に一部を掛け止めて先端鎌部が前記錠ケース内に引っ込んだ前記鎌の解錠姿勢を保持するトリガとを備え、
前記クランクアームは、
前記鎌軸を中心に前記鎌が回動して第１位置にあるときの前記連結突起の位置と、第２位置にあるときの該連結突起の位置をそれぞれ前記支軸の中心点と結んだ半直線間のクランク角が狭小な一定角度の挟角になる長さに、前記支軸と前記偏心穴間に掛け渡す架設距離を、横に長く設定し、
前記外部操作手段は、
操作板および該操作板の中央を横断する枢軸部に凸設した嵌合突起からなるボタンスイッチと、前記操作板の両端の押圧板部が前記枢軸部を支点として交互に上下するように前記ボタンスイッチを揺動可能に支持する支持部材とを備え、前記ボタンスイッチの枢軸部を前記クランクアームの架設方向に合わせて前記嵌合突起を前記クランクアームの嵌合穴に嵌合させて前記錠ケースに装着してなる、引戸用鎌錠。
【手続補正２】
【補正対象書類名】明細書
【補正対象項目名】００１１
【補正方法】変更
【補正の内容】
【００１１】
この課題を解決すべく、請求項１に記載の発明は、たとえば以下に示す図示実施の形態のとおり、引戸Ａの戸先側の木口７５から鎌出入口１４とトリガ穴１８を外部に向け臨ませて引戸Ａに内設する錠ケース１０と、前記鎌出入口１４から先端鎌部２０ｂが突出する施錠姿勢と前記錠ケース１０内に引っ込む解錠姿勢とに回動変位可能に、該錠ケース１０内に横架した鎌軸１５で吊持し、該鎌軸１５より前記鎌出入口１４とは反対側に片寄った位置で頭部２０ａに偏心穴２５を設けた鎌２０と、先端部に連結突起２９を設け、基端部に支軸５５が貫挿する軸穴３３を設けると共に、該軸穴３３と前記連結突起２９との間に嵌合穴５０を設け、前記連結突起２９を前記偏心穴２５に係合して前記鎌２０に連結する一方、前記支軸５５で該鎌２０が施錠姿勢となる第１位置と解錠姿勢となる第２位置との間を揺動可能に前記錠ケース１０内に枢支し、前記鎌２０の偏心穴２５と前記支軸５５間に縦向きの前記鎌出入口１４に対して横向きに架設するクランクアーム３０と、該クランクアーム３０を揺動操作する外部操作手段Ｓと、突端を前記トリガ穴１８に向けて前記錠ケース１０内にスライド自在に組み込む一方、常時ばね付勢して突端を前記トリガ穴１８から突出させると共に、前記鎌２０に一部を掛け止めて先端鎌部２０ｂが前記錠ケース１０内に引っ込んだ前記鎌２０の解錠姿勢を保持するトリガ４０とを備え、前記クランクアーム３０は、前記鎌軸１５を中心に前記鎌２０が回動して第１位置にあるときの前記連結突起２９の位置と、第２位置にあるときの該連結突起２９の位置をそれぞれ前記支軸５５の中心点Ｐと結んだ半直線間のクランク角αが狭小な一定角度の挟角になる長さに、前記支軸５５と前記偏心穴２５間に掛け渡す架設距離Ｌを、横に長く設定し、前記外部操作手段Ｓは、操作板４６および該操作板４６の中央を横断する枢軸部４６ａに凸設した嵌合突起４７からなるボタンスイッチ４５と、前記操作板４６の両端の押圧板部４６ｂ・４６ｃが前記枢軸部４６ａを支点に交互に上下するようにボタンスイッチ４５を揺動可能に支持するスイッチケース７０のような支持部材とを備え、前記ボタンスイッチ４５の枢軸部４６ａを前記クランクアーム３０の架設方向に合わせて前記嵌合突起４７を前記クランクアーム３０の嵌合穴５０に嵌合させて前記錠ケース１０に装着してなることを特徴とする。
【手続補正書】
【提出日】平成22年6月8日(2010.6.8)
【手続補正１】
【補正対象書類名】特許請求の範囲
【補正対象項目名】請求項１
【補正方法】変更
【補正の内容】
【請求項１】
引戸の戸先側の木口から鎌出入口とトリガ穴を外部に向け臨ませて引戸に内設する錠ケースと、
前記鎌出入口から先端鎌部が突出する施錠姿勢と前記錠ケース内に引っ込む解錠姿勢とに回動変位可能に、該錠ケース内に横架した鎌軸で吊持し、該鎌軸より前記鎌出入口とは反対側に片寄った位置で頭部に偏心穴を設けた鎌と、
先端部に連結突起を設け、基端部に支軸が貫挿する軸穴を設けると共に、該軸穴と前記連結突起との間に嵌合穴を設け、前記連結突起を前記偏心穴に係合して前記鎌に連結する一方、前記支軸で該鎌が施錠姿勢となる第１位置と解錠姿勢となる第２位置との間を揺動可能に前記錠ケース内に枢支し、前記鎌の偏心穴と前記支軸間に縦向きの前記鎌出入口に対して横向きに架設するクランクアームと、
該クランクアームを揺動操作する外部操作手段と、
突端を前記トリガ穴に向けて前記錠ケース内にスライド自在に組み込む一方、常時ばね付勢して突端を前記トリガ穴から突出させると共に、前記鎌に一部を掛け止めて先端鎌部が前記錠ケース内に引っ込んだ前記鎌の解錠姿勢を保持するトリガとを備え、
前記クランクアームは、
前記支軸と前記偏心穴間に掛け渡す架設距離Ｌを、前記鎌軸を中心に前記鎌が回動して前記第１位置にあるときの前記連結突起の位置と、前記第２位置にあるときの該連結突起の位置をそれぞれ前記支軸の中心点と結んだ半直線間のクランク角αが、前記鎌が施錠姿勢となる前記第１位置と解錠姿勢となる前記第２位置間を回動する角度より狭小な挟角になる長さに、横に長く設定し、
前記外部操作手段は、
操作板および該操作板の中央を横断する枢軸部に凸設した嵌合突起からなるボタンスイッチと、前記操作板の両端の押圧板部が前記枢軸部を支点として交互に上下するように前記ボタンスイッチを揺動可能に支持する支持部材とを備え、前記ボタンスイッチの枢軸部を前記クランクアームの架設方向に合わせて前記嵌合突起を前記クランクアームの嵌合穴に嵌合させて前記錠ケースに装着してなる、引戸用鎌錠。
【手続補正２】
【補正対象書類名】明細書
【補正対象項目名】００１１
【補正方法】変更
【補正の内容】
【００１１】
この課題を解決すべく、請求項１に記載の発明は、たとえば以下に示す図示実施の形態のとおり、引戸Ａの戸先側の木口７５から鎌出入口１４とトリガ穴１８を外部に向け臨ませて引戸Ａに内設する錠ケース１０と、前記鎌出入口１４から先端鎌部２０ｂが突出する施錠姿勢と前記錠ケース１０内に引っ込む解錠姿勢とに回動変位可能に、該錠ケース１０内に横架した鎌軸１５で吊持し、該鎌軸１５より前記鎌出入口１４とは反対側に片寄った位置で頭部２０ａに偏心穴２５を設けた鎌２０と、先端部に連結突起２９を設け、基端部に支軸５５が貫挿する軸穴３３を設けると共に、該軸穴３３と前記連結突起２９との間に嵌合穴５０を設け、前記連結突起２９を前記偏心穴２５に係合して前記鎌２０に連結する一方、前記支軸５５で該鎌２０が施錠姿勢となる第１位置と解錠姿勢となる第２位置との間を揺動可能に前記錠ケース１０内に枢支し、前記鎌２０の偏心穴２５と前記支軸５５間に縦向きの前記鎌出入口１４に対して横向きに架設するクランクアーム３０と、該クランクアーム３０を揺動操作する外部操作手段Ｓと、突端を前記トリガ穴１８に向けて前記錠ケース１０内にスライド自在に組み込む一方、常時ばね付勢して突端を前記トリガ穴１８から突出させると共に、前記鎌２０に一部を掛け止めて先端鎌部２０ｂが前記錠ケース１０内に引っ込んだ前記鎌２０の解錠姿勢を保持するトリガ４０とを備え、前記クランクアーム３０は、前記支軸５５と前記偏心穴２５間に掛け渡す架設距離Ｌを、前記鎌軸１５を中心に前記鎌２０が回動して前記第１位置にあるときの前記連結突起２９の位置と、前記第２位置にあるときの該連結突起２９の位置をそれぞれ前記支軸５５の中心点Ｐと結んだ半直線間のクランク角αが、前記鎌が施錠姿勢となる前記第１位置と解錠姿勢となる前記第２位置間を回動する角度より狭小な挟角になる長さに、横に長く設定し、前記外部操作手段Ｓは、操作板４６および該操作板４６の中央を横断する枢軸部４６ａに凸設した嵌合突起４７からなるボタンスイッチ４５と、前記操作板４６の両端の押圧板部４６ｂ・４６ｃが前記枢軸部４６ａを支点に交互に上下するようにボタンスイッチ４５を揺動可能に支持するスイッチケース７０のような支持部材とを備え、前記ボタンスイッチ４５の枢軸部４６ａを前記クランクアーム３０の架設方向に合わせて前記嵌合突起４７を前記クランクアーム３０の嵌合穴５０に嵌合させて前記錠ケース１０に装着してなることを特徴とする。